(57)【要約】【課題】建設機械用キャブにおける空調用ダクトの部品点数の削減と取付け作業の簡略化と結露によるキャブ内の汚損の防止を図ることを目的とする。【解決手段】空調用ダクトの構造を、断面が略凹状からなる中空成形体４の溝部３の縁面部４ａをキャブボックス１の内壁面２への取付け面とし、該取付け面以外を化粧用パネル部４ｂとし、前記溝部３と化粧用パネル部４ｂとの間に空間部４ｃを形成し、空調エヤーが前記溝部３とキャブボックス１の内壁面２により囲まれた空間３ａを通過可能の構造としたこと。さらに、前記溝部３を蓋部材５で密閉した構造としたことである。【選択図】    図１
2004197484.tif 000002
【特許請求の範囲】
【請求項１】
断面が略凹状からなる中空成形体（４）の溝部（３）の縁面部（４ａ）をキャブボックス（１）の内壁面（２）への取付け面とし、該取付け面以外を化粧用パネル部（４ｂ）とし、前記溝部（３）と化粧用パネル部（４ｂ）との間に空間部（４ｃ）を形成させたことを特徴とする建設機械用キャブの空調用ダクト。
【請求項２】
溝部（３）が蓋部材（５）で密閉されていることを特徴とする請求項１記載の建設機械用キャブの空調用ダクト。
【発明の詳細な説明】
【０００１】
【発明の属する技術分野】
本発明は図３に示す油圧ショベル等建設機械のキャブＣ内に設置される空調用ダクトに関する。
【０００２】
【従来の技術】
従来から油圧ショベル等の建設機械のキャブ内には作業者の作業環境を良くするために空調装置が設置されており、空調装置に連結している空調用ダクトがキャブボックス内壁面に取り付けられている。
特開２０００−１７７６５３号公報には図４（ａ）〜（ｂ）に示す空調用ダクトが開示されている。
【０００３】
上記公報にはキャブボックス１の内壁面２の下方に空調用ダクト１３がボルト付ないしは溶接等により取り付けられており、該ダクト１３は金属又は合成樹脂製の化粧用パネル１４で掩蔽された構造が開示されている。１５は空調装置である。
【０００４】
上記構造のものは、空調用ダクト１３と化粧用パネル１４が別体であるため、部品点数が増加するとともに、空調用ダクト１３をキャブボックス１の内壁面２に取り付ける際、先ず空調用ダクト１３を該内壁面２に取付けた後その上から化粧用パネル１４を掩蔽してキャブボックスの内壁面に取り付けるため組立作業が煩雑になるという問題点がある。ダクト１３が複数個ある場合はさらに煩雑になる。
【０００５】
上記問題点を解決するための空調用ダクトが特開２０００−３１９９３８号公報に開示されている。図５（ａ）〜（ｂ）に該ダクトの概略を示す。
上記公報に開示された空調用ダクトは、ダクト部分２３と化粧用パネル部分２４を合成樹脂材料で一体成形により作成し、該空調用ダクト成形体２１をキャブボックス１の内壁面２にボルト付２５した構造が開示されている。２６は取付け用凹部、２７は空調エヤー吹出し口である。
【０００６】
上記公報に開示された空調用ダクトはダクト部分２３と化粧用パネル部分２４が合成樹脂材料で一体成形されたために部品点数の削減化と取付け作業の簡略化に寄与している。
しかしながら、該構造のものは図５（ｂ）からわかるように、ダクト部分２３に空調用冷気を通すと化粧用パネル部分２４の裏面が冷気と直接接触しているために、その表面側に結露が発生し、化粧用パネルの表面が濡れ面状態となり、該濡れ面に作業現場の土埃が付着しキャブ内を汚損するという問題点があった。
【０００７】
【発明が解決しようとする課題】
本発明は建設機械用キャブにおける空調用ダクトの部品点数の削減と取付け作業の簡略化と結露によるキャブ内の汚損の防止を図ることを目的とする。
【０００８】
【課題を解決するための手段】
本発明は断面が略凹状からなる中空成形体４の溝部３の縁面部４ａをキャブボックス１の内壁面２への取付け面とし、該取付け面以外を化粧用パネル部４ｂとし、前記溝部３と化粧用パネル部４ｂとの間に空間部４ｃを形成し、空調エヤーが前記溝部３とギヤボックス１の内壁面２により囲まれた空間３ａを通過可能にしたことを特徴とする。さらに、前記溝部３は蓋部材５で密閉されていることを特徴とする。
【０００９】
【発明の実施の形態】
本発明にかかる空調用ダクトの実施形態について図１ないし図２を参照して説明する。なお、図中同一部品には同一符号を付し説明の重複を省略する。
図１において（ａ）図は空調用ダクトをキャブボックス１の内壁面へ取付けた状態の側面図、（ｂ）図は（ａ）図におけるＢ−Ｂ線拡大断面図、（ｃ）図は（ａ）図におけるＣ−Ｃ線拡大断面図である。
【００１０】
図１に示す空調用ダクトは断面が略凹状をした合成樹脂製或いは金属製の中空成形体４で形成されており、該中空成形体４の溝部３の縁面部４ａがキャブボックスの内壁面２への取付け面に形成されており、該中空成形体の縁面部４ａ以外の部分は化粧用パネル部４ｂに形成されている。６は空調エヤーの吹出しグリルである。
この実施形態の空調用ダクトは、中空成形体の溝部３の縁面部４ａをキャブボックスの内壁面２へ密着させることにより溝部３がダクト部に形成されており、該ダクト部と化粧用パネル部４ｂとの間に空間部４ｃが形成されている。
【００１１】
図２（ａ）は本発明にかかる空調用ダクトの他の実施形態を示す断面図である。この実施形態では中空成形体４の溝部３を蓋部材５で密閉した構造とすることにより溝部３がダクト部に形成されている。
図２（ｂ）は図１に示す空調用ダクトの他の実施例で、溝部が複数個の溝部３、３に形成された空調用ダクトの断面図である。
なお、図示していないが前記中空成形体４のダクトの基部は公知の連結部材を介して空調装置１５に連結される構造となっている。
【００１２】
次に本発明の作用について説明する。
断面が略凹状からなる中空成形体４で一体的に形成された空調用ダクトの溝部３の縁面部４ａをキャブボックス１の内壁面２へ密着させることにより前記溝部３がダクト部に形成される。
空調装置１５から前記ダクト部へ流入された冷気は空間部４ｃの存在によって化粧用パネル部４ｂに直接接触しないので化粧用パネル部４ｂの表面は露点温度まで冷却されることがない。したがって、該表面は結露することがなく、土埃が化粧用パネル部４ｂの表面に付着し汚すおそれがない。
【００１３】
【発明の効果】
本発明は、断面が略凹状からなる中空成形体４の溝部３の縁面部４ａをキャブボックス１の内壁面２への取付け面とし、該取付け面以外を化粧用パネル部４ｂとし、前記溝部３と化粧用パネル部４ｂとの間に空間部４ｃを形成させたことにより、化粧用パネル部４ｂの表面は露点温度まで冷却されることがなく、したがって、該表面は結露することがなく、土埃が化粧用パネル部４ｂの表面に付着してキャブ内を汚すおそれがない。
【００１４】
中空成形体４の溝部３を蓋部材５で密閉して溝部３をダクト部に形成することによりキャブボックス１の内壁面２と中空成形体４の溝部３側縁面部４ａとの密着面から空調エヤーが漏出するのを防止できる。
また、本発明の空調用ダクトは化粧用パネル部分とダクト部分が一体成形されるので部品点数の削減と取付け作業の簡略化に寄与するものである。
【図面の簡単な説明】
【図１】本発明にかかるキャブ内空調用ダクトの説明図で、（ａ）図は空調用ダクトをキャブボックス１の内壁面へ取付けた状態の側面図、（ｂ）図は（ａ）図におけるＢ−Ｂ線拡大断面図、（ｃ）図は（ａ）図におけるＣ−Ｃ線拡大断面図である。
【図２】（ａ）図、および（ｂ）図は夫々本発明にかかる空調用ダクトの他の実施形態の説明図で、図１（ａ）図におけるＢ−Ｂ線に相当する箇所の拡大断面図を夫々示している。
【図３】油圧ショベルの斜視図。
【図４】従来から公知のキャブ内空調用ダクトの説明図で、（ａ）図は空調用ダクトをキャブボックス１の内壁面へ取付けた状態の側面図、（ｂ）図は（ａ）図におけるＢ−Ｂ線拡大断面図である。
【図５】従来から公知のキャブ内空調用ダクトの他のタイプの説明図で、（ａ）図は空調用ダクトをキャブボックス１の内壁面へ取付けた状態の側面図、（ｂ）図は（ａ）図におけるＢ−Ｂ線拡大断面図である。
【符号の説明】
１    キャブボックス        １４    化粧用パネル
２    キャブボックス壁面    １５    空調装置
３    凹溝部                ２１    ダクト成形体
３ａ  空間                  ２３    ダクト部分
４    中空成形体            ２４    化粧カバー部分
４ｂ  化粧用パネル部        ２５    ボルト付
４ｃ  空間部                ２６    取付け用凹部
５    蓋部材                ２７    空調エヤー吹出し口
６    吹出しグリル            Ｃ    キャブ
１３    空調用ダクト
【図１】
2004197484.tif 000003
【図２】
2004197484.tif 000004
【図３】
2004197484.tif 000005
【図４】
2004197484.tif 000006
【図５】
2004197484.tif 000007